(57)【特許請求の範囲】
【請求項１】
給湯器を遠隔操作するための操作スイッチを備えるとともに、給湯器のマイクロコンピュータが内部設定用に備える燃料の種類や排気バリエーション等の情報の書き換えを行う保守用の動作モードを備えたリモコン装置において、
該リモコン装置に対して電源供給が開始されたことを条件として、当該リモコン装置の動作モードが通常の動作モードから前記保守用の動作モードに移行するように設定され、
この保守用の動作モード下において前記操作スイッチの操作により書き換えられた情報が、通常のリモコン操作では行われない所定のスイッチ操作によって確定され、書き換え後の情報が前記給湯器に送信されるように構成されている
ことを特徴とする給湯器のリモコン装置。
【請求項２】
前記保守用の動作モードに移行した後、所定時間内に所定の操作スイッチの操作が行なわれない場合に、前記保守用の動作モードが解除されるように設定されている
ことを特徴とする請求項１に記載の給湯器のリモコン装置。
【請求項３】
前記所定時間内に前記所定の操作スイッチ以外の操作スイッチが操作されると、前記保守用の動作モードが解除されるように設定されていることを特徴とする請求項２に記載の給湯器のリモコン装置。
【発明の詳細な説明】
【０００１】
【発明の属する技術分野】
この発明は給湯器のリモコン装置に関し、より詳細には、給湯器の動作を制御するマイクロコンピュータに記憶された情報の書き換えや、リモコン装置自体に内蔵されるマイクロコンピュータの状態を監視（モニタ）する保守用の動作モードを備えたリモコン装置に関する。
【０００２】
【従来の技術】
近時の給湯器においては、バーナや電磁弁さらには送風ファンといった給湯器各部の動作はいずれも制御中枢を構成するマイクロコンピュータによって制御されている。そして、かかる給湯器制御用のマイクロコンピュータは、燃料の種類（たとえばガス種）や排気バリエーション等が異なる多機種の給湯器に対応できるように、使用される給湯器の機種に応じて内部設定の切り替えが可能とされている。
【０００３】
ところで、従来このようなマイクロコンピュータの内部設定の切り替えは、上記マイクロコンピュータが搭載される制御基板上でのジャンパー線の接続設定やディップスイッチの位置設定によって行なわれていた。しかし、最近では作業の容易化や部品点数の減少を図るなどの理由から、給湯器のマイクロコンピュータにこれら内部設定に関する情報を予め記憶させておくとともに、給湯器に接続されるリモコン装置のスイッチ操作によって上記記憶された内部設定の書き換えが可能とされた給湯システムが提案されており、現在ではかかる方法が主流となりつつある。
【０００４】
しかしその一方では、このようなマイクロコンピュータの内部設定は、給湯器の工場出荷時ないしは設置現場で一旦設定されると、その後は給湯器各部の交換等が行なわれない限り変更する必要がない。そのため、かかる内部設定の書き換えをリモコン操作によって行なわせる場合には、リモコン装置に上記書き換え専用の動作モードを持たせるとともに、かかる設定書き換えを行なう動作モードへの移行操作は、通常のリモコン操作では操作しないような特定のスイッチ操作によるものとされている。
【０００５】
具体的には、たとえばリモコン装置上の特定の操作スイッチを一定時間（たとえば５秒）以上長押しさせたり、あるいは、複数（たとえば２つ）の操作スイッチを同時に押させるなどの操作が採用され、これにより給湯器ユーザが誤って上記設定書き換え用の動作モードに移行させないようにしている。
【０００６】
【発明が解決しようとする課題】
しかしながら、このような日常のスイッチ操作では行なわないような操作法をもって上記設定書き換え用の動作モードへの移行を行なわせると、たとえば給湯器の設置業者などマイクロコンピュータの内部設定を頻繁に行なう者にとっては、いちいち上記特定のスイッチ操作を行なわねばならず、作業が煩雑で面倒なものとなっていた。
【０００７】
また、その一方で上述した設定書き換え用の動作モードを備えたリモコン装置においては、かかる設定書き換え用の動作モードの他に給湯器各部の動作状況を監視（モニタ）するモードを備えているが、この動作モードは、従来専ら給湯器だけを監視対象としており、リモコン装置に搭載されるマイクロコンピュータのバージョンや当該マイクロコンピュータが搭載される基板のバージョン等、リモコン装置側のマイクロコンピュータに関する情報をモニタできるものは全く提供されていなかった。
【０００８】
すなわち、上述したような多機種の給湯器に対応できるリモコン装置においては、複数機種の給湯器に対する遠隔操作用の情報が該リモコン装置のマイクロコンピュータ内に格納されるが、当該マイクロコンピュータに内蔵される情報が最新の情報であるか否か（つまり、給湯器の新機種に対応し得るか否か）は、リモコン装置の外観を見ただけでは判断できない。そのため、かかる判断は専らマイクロコンピュータのバージョンや該マイクロコンピュータが搭載された基板のバージョン等を確認することにより行なわれるが、浴室などに設置されているリモコン装置は防水処理が施されているため、かかる判断のためにリモコン装置のケースを取り外すことは好ましくないという問題があった。
【０００９】
本発明はかかる従来の問題点に鑑みてなされたものであって、その目的とするところは、面倒なスイッチ操作を行なわずに設定書き換え用の動作モードに移行でき、しかもリモコン装置に搭載されるマイクロコンピュータに関する情報を容易に確認できる給湯器のリモコン装置を提供することを目的とする。
【００１０】
【課題を解決するための手段】
上記目的を達成するため、本発明の請求項１に記載された給湯器のリモコン装置は、給湯器を遠隔操作するための操作スイッチを備えるとともに、給湯器のマイクロコンピュータが内部設定用に備える燃料の種類や排気バリエーション等の情報の書き換えを行う保守用の動作モードを備えたリモコン装置において、該リモコン装置に対して電源供給が開始されたことを条件として、当該リモコン装置の動作モードが通常の動作モードから上記保守用の動作モードに移行するように設定され、この保守用の動作モード下において上記操作スイッチの操作により書き換えられた情報が、通常のリモコン操作では行われない所定のスイッチ操作によって確定され、書き換え後の情報が上記給湯器に送信されるように構成されていることを特徴とする。
【００１１】
すなわち、この請求項１に係る発明では、マイクロコンピュータの内部設定の書き換えを行なう保守用の動作モード（以下、メンテナンスライタモードと称する）への移行が、リモコン装置に電源供給が開始されると同時に行なわれるので、複雑なスイッチ操作を必要とせずに簡単にメンテナンスライタモードに突入させることができる。そして、保守用の動作モード下で操作スイッチの操作により書き換えられた情報は、たとえば、アップスイッチとダウンスイッチの同時押し等のように通常のリモコン操作では行われない所定のスイッチ操作によって確定され給湯器に送信される。
【００１２】
また、本発明の請求項２に記載された給湯器のリモコン装置は、上記保守用の動作モードに移行した後、所定時間内に所定の操作スイッチの操作が行なわれない場合に、上記保守用の動作モードが解除されるように設定されている
ことを特徴とする。そして、この請求項２に記載の給湯器のリモコン装置は、好ましくは、上記所定時間内に上記所定の操作スイッチ以外の操作スイッチが操作されると、上記保守用の動作モードが解除されるように設定されていることを特徴とする。
【００１３】
すなわち、この請求項２に係る発明では、リモコン装置の電源投入をメンテナンスライタモードに移行する条件とした場合、たとえば一時的な停電などによってもリモコン装置はメンテナンスライタモードに移行してしまうので、メンテナンスモード移行後に何等の操作もなされない場合にはメンテナンスライタモードを解除することにより、給湯器ユーザが誤ってマイクロコンピュータの内部設定の書き換えを行なわないようしている。なお、ここでメンテナンスライタモードを解除した後の処理については、通常の動作モード（運転オン状態）に復帰させ、あるいはリモコン装置を運転停止状態（運転オフ状態）にさせる構成が採用され得る。
【００１４】
そして、この請求項２のリモコン装置は、上記所定時間内に上記所定の操作スイッチ以外の操作スイッチが操作された場合にも、メンテナンスライタモードが解除されるように構成されることにより、たとえば上述した停電後に給湯器ユーザがリモコン装置の異常（メンテナンスライタモードに移行していること）に気付いて咄嗟にリモコン装置のスイッチ（上記所定の操作スイッチ以外の操作スイッチ）を操作したような場合に、誤ってマイクロコンピュータの内部設定が書き換えられないようにされている。
【００１８】
【発明の実施の形態】
以下、本発明に係る給湯器のリモコン装置の一実施形態を図１ないし図４に基づいて詳細に説明する。
【００１９】
図１に本発明に係る給湯器のリモコン装置１を適用した給湯システムの概略構成を示す。この図１に示す給湯器システムでは、上記リモコン装置１として２台のリモコン装置１ａ，１ｂが用いられている。これらのリモコン装置１ａ，１ｂは、いずれも主として給湯器３を遠隔操作するためのリモートコントローラであり、これらのリモコン装置１ａ，１ｂが二芯伝送線（二芯ケーブル）２を介して上記給湯器３と接続されている。これにより、各リモコン装置１ａ，１ｂのそれぞれに内蔵され各リモコン装置１ａ，１ｂの制御中枢を構成するマイクロコンピュータ（図示せず）と、給湯器３の制御中枢を構成するマイクロコンピュータ（図示せず）との間での通信が可能とされ、リモコン装置１ａ，１ｂからの遠隔操作等が可能とされている。また、上記二芯伝送線２は、このような通信ラインとして使用される他、上記給湯器３から各リモコン装置１ａ，１ｂに対する電源を供する電源ラインにも兼用されており、各リモコン装置１ａ，１ｂは給湯器３から電源供給を受けるように構成されている。
【００２０】
なお、図１において符号４で示すのは給湯用の配管であり、この給湯器配管４の先端にはシャワー５や図示しないカランが接続されている。また、符号６は浴槽７への注湯配管を示しており、この注湯配管６を介して給湯器３から浴槽７へ湯水の供給が可能に構成されている。
【００２１】
また、図２は上記給湯システムに接続されるリモコン装置１ａ，１ｂの外観を示している。具体的には、図２（ａ）  は、主として台所など浴室以外の部屋に設置されるリモコン装置（台所リモコン）１ａを示しており、また図２（ｂ）  は主として浴室に設置されるリモコン装置（浴室リモコン）１ｂを示している。
【００２２】
ところで、これらのリモコン装置１ａ，１ｂは、上述したようにその設置場所が異なることに関連して、後述する操作スイッチ８や表示部９の具体的な形態が相違するが、リモコン装置としての基本構成や基本機能（たとえば双方とも後述する保守用の動作モードを備える点など）は同じであるため、以下の説明においては特に示さない限りこれらを総称してリモコン装置１と称するものとする。
【００２３】
このリモコン装置１は、上述したようにその内部にリモコン装置１の制御中枢を構成するマイクロコンピュータが内蔵されるとともに、給湯器３の遠隔操作用として複数の操作スイッチ８（図示例では８１〜８８）と、該操作スイッチ８の操作状況や給湯器３の動作状況などの各種情報を表示する表示部９を備えている。
【００２４】
より詳細には、上記マイクロコンピュータは、リモコン装置１の各部の動作や上記給湯器３に内蔵されるマイクロコンピュータとの間での通信を制御するものである。そして、このマイクロコンピュータは、給湯器３の遠隔操作にあたり、機種の異なる複数の給湯器３に対して遠隔操作の指令を行なえるように、各機種毎に対応する必要な情報を記憶している。また、このマイクロコンピュータは、給湯器３に対する遠隔操作を行なうための通常の動作モードの他に、給湯器３やリモコン装置１の保守用の動作モード（詳細は後述する）を備えており、これらの動作モードが後述する方法・操作によって切り替え可能とされている。
【００２５】
また、このリモコン装置１は、上記操作スイッチ８として、リモコン装置１の運転の入／切操作を行なう運転スイッチ８１と、上記給湯器３への遠隔操作指令などを具体的に設定するその他の操作スイッチ８２〜８８（たとえば、自動湯張りを指示する「ふろ自動スイッチ８４」や、給湯温度のアップダウンを指示する「アップスイッチ８２」や「ダウンスイッチ８３」等）を備えており、これらの操作スイッチ８で操作された内容が上記リモコン装置１に内蔵されるマイクロコンピュータによって演算処理され、リモコン装置１の動作制御や給湯器３に対する通信が行なわれている。
【００２６】
一方、上記表示部９は、予め設定された特定の情報をランプの点灯／消灯で表示する固定情報表示部９１と、リモコン装置１の内部に格納された所定のプログラムに基づいて画面上の表示内容を任意に設定できる可変情報表示部９２とで構成されている。
【００２７】
固定情報表示部９１は、内蔵された発光ダイオード等の発光素子を点灯／消灯させることにより予め設定された所定の項目を示す文字や記号を点灯／消灯させるもので、図２（ａ）  に示す台所リモコン１ａでは、「給湯」，「予約」，「時計」等の各項目が表示可能とされている（なお、図示例では「給湯」，「予約」，「時計」の各項目が点灯状態にあり、その他の項目は消灯状態にある場合が示されている）。
【００２８】
一方、可変情報表示部９２は、発光する部分（発光部）が小さな点状（たとえば直径数ミリメートル程度）に形成された複数の蛍光表示管を縦横に整列配置（たとえば縦３２ドット，横７８ドットに整列配置）してなるドットマトリクス表示器９２で構成されている（図２（ａ），（ｂ）  の符号９２参照）。そして、このドットマトリクス表示器９２は、上記マイクロコンピュータからの指令に基づいて上記整列配置された個々の蛍光表示管を適宜点灯／消灯させて、これら蛍光表示管で構成された画面上に所定の文字や図形等を表示させている。
【００２９】
より詳細には、この画面上には、給湯器３のマイクロコンピュータから送信される給湯器３の動作状況や、上記操作スイッチ８の操作状況等が文字や図形として表示される。なお、図２（ａ）  では、この画面上に「給湯」，「１２：３９ＡＭ」，「４２°Ｃ」の各文字が表示された状態を示している。
【００３０】
しかして、このように構成されたリモコン装置１は、給湯器３の遠隔操作を行なう通常の動作モードの他に保守用の動作モードとして、給湯器３の制御中枢を構成するマイクロコンピュータの内部設定の書き換えを行なうメンテナンスライタモードと、リモコン装置１に内蔵されるマイクロコンピュータに関する情報を監視・表示するメンテナンスモニタモードを備えている。そこで、次にこれら各保守用の動作モードについて説明する。
【００３１】
メンテナンスライタモード：
メンテナンスライタモードは、上述したように給湯器３に内蔵されるマイクロコンピュータの内部設定の書き換えを行なう専用の動作モードであって、この動作モードに移行することにより、リモコン装置１に内蔵されるマイクロコンピュータは、以後このモード下でなされるスイッチ操作に応じて、給湯器３に対し内部設定の書き換え指令を出力するものとされる。そして、この設定の書き換え指令を受信した給湯器３では、その指令内容に応じてマイクロコンピュータに記憶された内部設定に関する情報の書き換えが行なわれる。
【００３２】
そして、本発明では、かかるメンテナンスライタモードへの移行およびその解除は、図３のフローチャートに示される手順によって行なわれている。
【００３３】
すなわち、メンテナンスライタモードへの移行は、図３ステップＳ１およびステップＳ２に示すように、リモコン装置１での格別の操作を必要とせずにリモコン装置１に対する電源投入（電源供給の開始）を条件として自動的に行なわれる。
【００３４】
つまり、メンテナンスライタモードは上述したように給湯器３の内部設定の書き換えを行なう動作モードであるが、かかる内部設定の書き換えは、通常、給湯器３における制御シーケンス等の変更を伴うので、給湯器３でのシーケンス処理が開始される前、つまり、給湯器３が何らかの動作を開始する前に行なわれるのが好ましい。そのため、本実施形態では、リモコン装置１の電源が投入された時点で、換言すれば給湯器３の電源が投入され、上記二芯伝送線２を介してリモコン装置１に電源供給が開始された時点で直ちにメンテナンスライタモードを立ち上げ、給湯器３がシーケンス処理を開始する前にメンテナンスライタモードに移行させている。
【００３５】
そして、このようにしてメンテナンスライタモードに移行されると、次にリモコン装置１での処理は続く図３ステップＳ３に移行し、メンテナンスライタモード下で内部設定の書き換え操作が行なわれた否かが判断される。
【００３６】
この内部設定の書き換え操作の詳細は、リモコン装置１のマイクロコンピュータに設定された操作方法によるものとされるが、図２に示すようなスイッチ構成であれば、たとえば設定スイッチ８５を操作して書き換えを行なう項目（たとえばガス種や排気バリエーション等書き換え可能な事項）を選択し、アップスイッチ８２およびダウンスイッチ８３で各項目毎に具体的な内容（たとえばガス種が選択されている場合には、１３Ａであるとか６Ａであるといったガス種の詳細）を設定するといった操作法が採用され得る。
【００３７】
そして、このようにして内部設定の書き換え操作が行なわれると、次に、この書き換えた内容を確定して給湯器３に送信する操作が行なわれる（図３ステップＳ４参照）。具体的には、上述した操作法による場合には、この内容の確定操作としては、たとえばアップスイッチ８２とダウンスイッチ８３の同時押し等、通常のリモコン操作では行なわないような所定の操作によって行なうものとされる。
【００３８】
しかして、このように書き換えの内容が確定され、かつその内容が給湯器３に送信されると、給湯器３ではこの送信内容にしたがってマイクロコンピュータの内部設定が更新される。
【００３９】
一方、上記図３ステップＳ３において上記の設定操作が行なわれない場合には、図３ステップＳ５に移行して、メンテナンスライタモードに移行してからの経過時間が所定の経過時間（たとえば１０分）を超えたか否かが判断され、所定時間経過にもかかわらず何等のスイッチ操作もなされていない場合には、メンテナンスライタモードが解除される。またその際、特に図示しないが、上記所定時間が経過するまでの間に、上述した内部設定の書き換え操作以外の操作（たとえば上述の例では、設定スイッチ８５やアップスイッチ８２，ダウンスイッチ８３以外のスイッチ操作）がなされた場合にも、上記メンテナンスライタモードを解除するものとされる。
【００４０】
これは、停電等によって一時的に電源供給が遮断された後に再び電源供給が開始されると、本発明のリモコン装置１では自動的にメンテナンスライタモードに移行するので、そのような場合に給湯器ユーザが誤って上記設定の書き換えを行うのを防止するためであり、したがって、上記所定の経過時間の設定についてはかかる事情を考慮して適宜設定変更可能とされる。
【００４１】
また、メンテナンスライタモードを解除した後の処理としては、通常の動作モードに復帰するようにされるのが好ましいが、たとえば上記図３ステップＳ５の処理中に上述した事情により給湯器ユーザが誤って運転入／切スイッチ８１を操作したような場合には、当該スイッチ操作を優先してリモコン装置１を運転停止状態（運転オフ状態）とすることを採用することも可能である。
【００４２】
このように、本発明によれば、リモコン装置１への電源投入と同時にメンテナンスライタモードに移行されるため、面倒な操作を行なわずに容易にメンテナンスライタモードに移行することができる。しかも、マイクロコンピュータの設定の書き換えが行なわれるのは、給湯器３の設置時や保守点検時であるところ、このような作業は給湯器３の電源を落としてから行なわれ、その後に試運転等のために給湯器３に電源が投入されるので、本発明では、この電源再投入時に自動的にメンテナンスライタモードが立ち上がり、設定書き換え操作を迅速に行なうことができる。
【００４３】
メンテナンスモニタモード：
一方、メンテナンスモニタモードは、保守用の動作モードの一つとして、従来のリモコン装置では専ら給湯器３の状態を監視（モニタ）するモードとして設定されていた。つまり、このモード下においては、リモコン装置に内蔵されるマイクロコンピュータは、操作スイッチの操作に応じて、給湯器に対して給湯器各部の動作状態等を示すモニタ情報の送信を要求し、これに応じて給湯器３から送信されるモニタ情報を表示部に表示するものとされている。
【００４４】
本発明に係るリモコン装置１では、かかるメンテナンスモニタモードにおいて、上述した給湯器３の動作状況だけでなく、リモコン装置１自体の情報も表示可能とされている。具体的には、この本発明では、このメンテナンスモニタモード下において表示可能な事項として、たとえば、リモコン装置１に内蔵されるマイクロコンピュータのバージョン（捺印名称）や該マイクロコンピュータが搭載された基板のバージョン、さらにはリモコン装置１の通信履歴やジャンパ接続の状態等、リモコン装置１に関する種々の情報の表示が可能とされる。
【００４５】
つまり、これらの情報は、いずれもリモコン装置１に内蔵されるマイクロコンピュータの記憶部や当該マイクロコンピュータによってアクセス可能な記憶領域に予め記憶されるか、あるいはマイクロコンピュータの処理によっていつでも確認できる事項であるので、上記メンテナンスモニタモード下では、上記マイクロコンピュータがこれらの情報を読み出しあるいは確認し、リモコン装置１の表示部９に表示させている。
【００４６】
なお、この表示部９への表示にあたっては、本発明では、上記表示部９として文字や図形等を任意に表示できる可変情報表示部９２が採用されていることから当該表示部９での表示態様の自由度が高いため、これらの情報を文字や図形を使って直観的に認識できるように表示できるという利点があり、従来より多くの事項をメンテナンスモニタモードで表示することが可能とされている。
【００４７】
そこで、次にかかるメンテナンスモニタモードへの移行およびその解除手順について、図４のフローチャートに基づいて説明する。
【００４８】
すなわち、メンテナンスモニタモードへの移行は、まず図４ステップＳ１において、当該モードへの移行操作が行なわれる。具体的には、この操作としては、たとえば上記アップスイッチ８２およびダウンスイッチ８３の同時長押し（数秒程度の長押し）など、通常のリモコン操作では行なわないような操作が採用される。
【００４９】
そして、この操作によりメンテナンスモニタモードに移行すると、上記表示部９の可変情報表示部９２にメンテナンスモニタモードへの移行を示す表示が行なわれる。ここでの表示としては、まずメンテナンスモニタモードで監視（モニタ）する対象を選択させる表示が行なわれる。具体的には、給湯器３に関する情報の表示か、リモコン装置１に関する情報の表示かの選択が要求される。
【００５０】
そこで、以下では、リモコン装置１に関する情報を選択する場合を説明する。この場合は、リモコン装置１側の情報を表示する旨が選択されると、上記可変情報表示部９２の画面が、リモコン装置１の情報を表示する画面（リモコン情報表示画面）に切替えられる（図４ステップＳ３参照）。
【００５１】
そして、本実施形態では、このリモコン情報表示画面において、まず、リモコン装置１に搭載されるマイクロコンピュータのバージョン（捺印名称）が表示される。なお、この捺印名称の表示は、予めマイクロコンピュータに記憶された情報に基づいて表示されるため、本発明のリモコン装置１では、内蔵されるマイクロコンピュータのバージョンをスイッチ操作だけで確認することができる。
【００５２】
そして、この捺印名称の表示中は、上記リモコン装置１の内部ではメンテナンスモニタモードを抜ける操作が行なわれたか否かの判断（図４ステップＳ４参照）と、次の項目の表示を要求する操作が行なわれたか否かの判断（図４ステップＳ５参照）とが行なわれている。そして、メンテナンスモニタモードを抜けるための操作がなされると図４ステップＳ９に飛んでメンテナンスモニタモードを終了し、リモコン装置１は通常の動作モードに復帰される。また、ここで次の項目の表示を要求する（項目アップの要求）操作がなされると、続く図４ステップＳ６に移行して、次の表示項目（図示例ではリモコン装置１のジャンパ接続の有無の情報）が表示される。なお、次の項目の表示中に、メンテナンスモニタモードを抜ける操作がなされたか、また項目アップの操作がなされたかの判断が行なわれるのは上記図４ステップＳ４，ステップＳ５の場合と同様である（図４ステップＳ７，ステップＳ８参照）。
【００５３】
ここで、上記項目をアップする操作やメンテナンスモニタモードを抜ける操作は、上述したメンテナンスライタモードの場合と同様に、リモコン装置１のマイクロコンピュータに設定された操作方法によるものとされるが、たとえば項目アップは設定スイッチ８５の操作で行い、メンテナンスモニタモードを抜ける操作は上記アップスイッチ８２とダウンスイッチ８３の同時長押しによるものとされる。
【００５４】
このように、本発明のリモコン装置１では、メンテナンスモニタモードでリモコン装置１の情報が表示されるように構成されたので、たとえばリモコン装置１に搭載されるマイクロコンピュータのバージョンの確認や、同マイクロコンピュータが搭載された基板のバージョンの確認、さらには、リモコン装置１の通信履歴やジャンパ接続の状態等がスイッチ操作のみで確認でき、保守点検に必要な情報を容易に表示させることができる。
【００５５】
なお、上述した実施形態は本発明の好適な実施形態を示すものであって、本発明はこれに限定されることなく、その発明の範囲内で種々設計変更可能である。
【００５６】
たとえば、上記実施形態ではメンテナンスモニタモードにおいてモニタできる項目として、リモコン装置１の内部処理で表示できる事項のみを示したが、たとえば表示部９の表示にしたがって操作スイッチを押すことによってスイッチの接続確認（つまりマイクロコンピュータがスイッチ操作を確実に認識しているか否かの確認）を行なわせることも可能であり、そのように構成することでスイッチの接触不良等を容易に確認できるようになる。
【００５７】
また、上記実施形態では、図２に示すリモコン装置の外観を基に具体的なスイッチ操作の内容を説明したが、これらは使用されるリモコン装置の操作スイッチの種別等によって適宜変更可能であることはもちろんである。
【００５８】
【発明の効果】
以上詳述したように、本発明の給湯器のリモコン装置によれば、リモコン装置が、該リモコン装置に対して電源供給が開始されたことを条件として、給湯器の動作モードが設定の書き換えを行なう保守用の動作モードに移行するものとされているので、内部設定の書き換えを行なうにあたり複雑な操作を必要とせずに容易に保守用の動作モードに移行することができる。
【００５９】
また、保守用の動作モードに移行した後、所定時間内に所定の操作スイッチの操作が行なわれない場合や、上記所定時間内に上記所定の操作スイッチ以外の操作スイッチが操作された場合に、上記保守用の動作モードが解除されるように設定されることにより、たとえば停電等によって意図しない状態で保守用の動作モードに移行した場合でも、誤操作による設定の書き換えが防止される。
【図面の簡単な説明】
【図１】本発明に係る給湯器のリモコン装置を適用した給湯システムの概略構成を示す説明図である。
【図２】同リモコン装置の外観構成図であり、図２（ａ）  は台所等浴室以外の部屋に設置されるリモコン装置の外観を、図２（ｂ）  は浴室に設置されるリモコン装置の外観を示している。
【図３】同リモコン装置における保守用の動作モード（メンテナンスライタモード）への移行ならびにその解除手順を示すフローチャートである。
【図４】同リモコン装置における保守用の動作モード（メンテナンスモニタモード）への移行ならびにその解除手順を示すフローチャートである。
【符号の説明】
１，１ａ，１ｂ    リモコン装置
２                二芯伝送線
３                給湯器
４                給湯配管
５                シャワー
６                注湯配管
７                浴槽
８，８１〜８８    操作スイッチ
９                表示部
９１              固定情報表示部
９２              可変情報表示部
【図１】
0003620819.tif 000002
【図２】
0003620819.tif 000003
【図３】
0003620819.tif 000004
【図４】
0003620819.tif 000005